(57)【要約】【課題】通常の放香機能を保持した上で、所望の時期だけ虫よけ作用を付与し、しかもインテリア性をも備えた放香防虫製品の提供。【課題の解決】常温揮散性防虫成分として、エムペントリン、テフラメトリン及び一般式（Ｉ）【化１】  （式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた１種又は２種を担体に含浸させ、これ自体又はこれを通気性保持体に収納してなる防虫材を、放香器に取りはずし可能に装填した放香防虫製品。【選択図】図１
2005126393.tif 000002
【特許請求の範囲】
【請求項１】
常温揮散性防虫成分として、エムペントリン、テフラメトリン及び一般式（Ｉ）
【化１】
2005126393.tif 000008
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた１種又は２種を担体に含浸させ、これ自体又はこれを通気性保持体に収納してなる防虫材を、放香器に取りはずし可能に装填したことを特徴とする放香防虫製品。
【請求項２】
常温揮散性防虫成分の１日あたりの揮散量を０．２〜１０ｍｇ／日としたことを特徴とする請求項１に記載の放香防虫製品。
【請求項３】
芳香器が造花を備えてなり、かつ防虫材を造花の集合体が形成する間隙に装填したことを特徴とする請求項１又は２に記載の放香防虫製品。
【請求項４】
担体が、セルロース製ビーズ、又はセルロース製シートもしくはハニカム構造体であることを特徴とする請求項１ないし３のいずれかに記載の放香防虫製品。
【請求項５】
担体の総表面積が、５０〜３００ｃｍ2であることを特徴とする請求項１ないし４のいずれかに記載の放香防虫製品。
【発明の詳細な説明】
【技術分野】
【０００１】
本発明は、放香器に防虫性を付与した放香防虫製品に関するものである。
【背景技術】
【０００２】
従来より、香料成分を含む様々な種類の放香器が市販されているが、これらは通常１年間を通じて使用されるものである。そして、例えば、実開平２−３１７９９号公報や特公昭６０−３３５１１号公報の如く、放香器に造花を組み合わせてインテリア性を付与した装飾用放香製品の提案も数多くなされている。
一方、防虫性、すなわちある種の害虫忌避効果を有するハーブ成分を上記香料成分に置き換えて、芳香を発するとともに虫よけ効果を兼備した製剤を提供しようとする試みもある。しかしながら、ハーブ成分の防虫作用は弱く、例えば玄関に置いたような場合、芳香感を与えるだけに留まり、満足のいく虫よけ効果を奏し得ない。
【０００３】
ところで、特開２０００−２４７８０７号公報には、エムペントリン、トランスフルトリン及びテラレスリンのような揮散性ピレスロイド系殺虫成分等を担体に含浸・保持させた薬剤蒸散体を用い、殺虫効力を示す濃度より低濃度の条件で蒸散させることにより、害虫を仰転させずとも、虫よけ効果もしくは吸血行動抑制効果を期待する方法が提案されている。この公報の技術によれば、揮散性ピレスロイド系殺虫成分と香料成分を混用して適用した場合、芳香感に加えある程度の虫よけ効果を奏しえるが、虫よけ効果を所望しない冬季においても殺虫成分が放散されるという不都合を生じる。しかも、薬剤蒸散体の薬剤含浸面積を広くして薬剤蒸散量を確保しているため、薬剤蒸散体は十分広いスペースを要し、室内装飾用に供しようとすると、薬剤蒸散体自体を例えば造花の如き形態に形成せざるを得ず、その製造には相当の不利を伴うことが避けられない。
一方、特開２００３−１８９７７７号公報は、薬液吸液性の加工体に揮散性薬剤を含む定量の薬液を供給しうる薬液供給装置を開示する。ここでは、揮散性薬剤として、後記する一般式（Ｉ）の殺虫剤を含み得るとの記載があるものの、幾多の殺虫剤、殺菌剤、忌避剤、芳香剤等のうちの一例として一般式（Ｉ）の化合物を挙げているに過ぎず、もちろん、特開２０００−２４７８０７号公報と同様、通常の放香機能を保持した上で、所望の時期（例えば夏季）だけ虫よけ作用を付与しようとする発想は全くない。
【特許文献１】実開平２−３１７９９号公報
【特許文献２】特公昭６０−３３５１１号公報
【特許文献３】特開２０００−２４７８０７号公報
【特許文献４】特開２００３−１８９７７７号公報
【発明の開示】
【発明が解決しようとする課題】
【０００４】
本発明は、有用な常温揮散性防虫成分を選択し、これと放香器を組み合わせることによって、通常の放香機能を保持した上で、所望の時期だけ虫よけ作用を付与し、しかもインテリア性をも備えた放香防虫製品を提供することを目的とする。
【課題を解決するための手段】
【０００５】
本発明は、上記課題を解決するため、次のような構成を採用する。
（１）常温揮散性防虫成分として、エムペントリン、テフラメトリン及び一般式（Ｉ）
【化１】
2005126393.tif 000003
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた１種又は２種を担体に含浸させ、これ自体又はこれを通気性保持体に収納してなる防虫材を、放香器に取りはずし可能に装填した放香防虫製品。
（２）常温揮散性防虫成分の１日あたりの揮散量を０．２〜１０ｍｇ／日とした（１）に記載の放香防虫製品。
（３）芳香器が造花を備えてなり、かつ防虫材を造花の集合体が形成する間隙に装填した（１）又は（２）に記載の放香防虫製品。
（４）担体が、セルロース製ビーズ、又はセルロース製シートもしくはハニカム構造体である（１）ないし（３）のいずれかに記載の放香防虫製品。
（５）担体の総表面積が、５０〜３００ｃｍ2である（１）ないし（４）のいずれかに記載の放香防虫製品。
【発明の効果】
【０００６】
本発明の放香防虫製品は、常温揮散性防虫成分として、従来のピレスロイド化合物に比べて蒸気圧が高くしかも高活性な、エムペントリン、テフラメトリン及び一般式（Ｉ）で表されるフッ素置換ベンジルアルコールエステル化合物を使用し、通常の放香機能を保持した上で、所望の時期だけ虫よけ作用を付与することが可能となり、しかもインテリア性をも備えるので、その実用性は極めて高い。
【発明を実施するための最良の形態】
【０００７】
本発明の放香防虫製品で用いられる常温揮散性防虫成分は、エムペントリン、テフラメトリン及び一般式（Ｉ）
【化２】
2005126393.tif 000004
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた１種又は２種であり、従来のアレスリン、フラメトリン及びプラレトリンに比べて蒸気圧が高く、蚊、ハエ、ブユ、ユスリカなどの害虫に対する虫よけ効果や吸血阻止効果も優れている。防虫成分の酸成分において、不斉炭素に基づく光学異性体や幾何異性体が存在する場合、それらの各々や任意の混合物も本発明に包含されることはもちろんである。
【０００８】
一般式（Ｉ）で表される化合物の具体例としては、２，３，５，６−テトラフルオロベンジル−クリサンテマート（以後、化合物Ａと称す）、２，３，５，６−テトラフルオロベンジル−２，２−ジメチル−３−（１−プロペニル）シクロプロパンカルボキシレート（以後、化合物Ｂと称す）、２，３，５，６−テトラフルオロベンジル−２，２−ジメチル−３−（２，２−ジクロロビニル）シクロプロパンカルボキシレート（以後、化合物Ｃと称す）、４−メチル−２，３，５，６−テトラフルオロベンジル−クリサンテマート（以後、化合物Ｄと称す）、４−メチル−２，３，５，６−テトラフルオロベンジル−２，２−ジメチル−３−（１−プロペニル）シクロプロパンカルボキシレート（以後、化合物Ｅと称す）、４−メチル−２，３，５，６−テトラフルオロベンジル−２，２−ジメチル−３−（２，２−ジフルオロビニル）シクロプロパンカルボキシレート（以後、化合物Ｆと称す）、４−メトキシメチル−２，３，５，６−テトラフルオロベンジル−クリサンテマート（以後、化合物Ｇと称す）、４−メトキシメチル−２，３，５，６−テトラフルオロベンジル−２，２−ジメチル−３−（１−プロペニル）シクロプロパンカルボキシレート（以後、化合物Ｈと称す）、２，３，４，５，６−ペンタフルオロベンジル−２，２−ジメチル−３−（２−クロロ−２−トリフルオロメチルビニル）シクロプロパンカルボキシレート（以後、化合物Ｉと称す）、４−プロパルギル−２，３，５，６−テトラフルオロベンジル−２，２−ジメチル−３−（１−プロペニル）シクロプロパンカルボキシレート（以後、化合物Ｊと称す）、４−メチル−２，３，５，６−テトラフルオロベンジル−２，２−ジメチル−３−ビニルシクロプロパンカルボキシレート（以後、化合物Ｋと称す）、２，３，５，６−テトラフルオロベンジル−２，２，３，３−テトラメチルシクロプロパンカルボキシレート（以後、化合物Ｌと称す）、又は４−メトキシメチル−２，３，５，６−テトラフルオロベンジル−２，２，３，３−テトラメチルシクロプロパンカルボキシレート（以後、化合物Ｍと称す）をあげることができる。
なかでも、一般式（II）
【化３】
2005126393.tif 000005
（式中、Ｚは水素原子、フッ素原子、メチル基、メトキシメチル基又はプロパルギル基を表す）で表されるフッ素置換ベンジルアルコールエステル化合物に該当する化合物Ｂ、化合物Ｅ、化合物Ｈ及び化合物Ｊが好適である。
【０００９】
本発明では、上記常温揮散性防虫成分を担体に含浸させ、これ自体又はこれを通気性保持体に収納して用いる。
担体の材質としては吸液性担体が用いられ、例えば紙、パルプ、ビスコースなどのセルロース系担体、２，４，６−トリイソプロピル−１，３，５−トリオキサン［商品名：サンサブリ（小川香料株式会社製）］、トリシクロドデカン［商品名：アイサワーＤ（出光石油化学株式会社製）］、アダマンタンなどの昇華性物質、エチレン−酢酸ビニール系樹脂、オレフィンポリマーなどの合成樹脂担体、ケイ酸カルシウムなどの無機質担体などがあげられる。なかでも、天然由来の紙、パルプ、ビスコースなどのセルロース系担体が好ましく、これらを粒状もしくは略粒状で、その平均外径が２ｍｍ〜８ｍｍ程度となるように形成したビーズが使いやすい。例えば、発泡セルロースビーズ［商品名：ビスコパール（レンゴー株式会社製）］が好適で、薬剤含浸性をより高めた材質のものも入手可能である。
また、吸液性担体はシート状もしくはハニカム構造体であってよく、この場合、襞状に形成すると表面積が増えるので防虫成分の揮散量を高め得る。
担体の総表面積が拡がるにつれて防虫成分の揮散量は増加するが、本発明では放香器にコンパクトな形態で取りはずし可能に装填することを特徴としているため、５０〜３００ｃｍ2、なかんずく５０〜１００ｃｍ2程度が好ましい。
【００１０】
放香防虫製品あたりの常温揮散性防虫成分の含浸量は、担体の吸液能、使用場所、使用期間、造花の形態などを考慮して適宜決定すればよい。通常１０〜６００ｍｇが適当であり、担体の表面積が同じであれば、含浸量を増やすことにより使用期間を延ばすことが可能となる。
なお、含浸に際し、必要ならば適宜、石油系、芳香族炭化水素系、アルコール系などの溶剤を用いることができ、また必要に応じ界面活性剤、分散剤、安定剤、着色剤、帯電防止剤などを適宜配合してもよいが、防虫成分の使用時の揮散性能を考慮すると、防虫成分濃度が可能な限り高濃度（例えば５０重量％以上）の油性原液を使用するのが好ましい。更に、常温揮散性防虫成分の揮散性能に支障を来たさない限りにおいて、揮散性の高い他の殺虫、防虫、忌避成分（例えば、ディート、ヒノキチオール等）、殺菌剤、消臭剤等を添加して多目的薬剤組成物とすることもできる。
【００１１】
本発明では、ハニカム構造体のような含浸担体はそのまま防虫材として供してもよいが、通常通気性保持体に収納して防虫材を製する。防虫材の仕様、形態は何ら限定されず、例えば、粒状もしくは略粒状のセルロース製含浸ビーズや好ましくは襞折り状に形成されたセルロース製の含浸シート、あるいは錠剤に成型された含浸昇華性物質を、揮散孔が設けられた薬剤非吸着性のプラスチック保持体や不織布成型体、あるいは金属製ネットに収納する形態や、更には、通気性のセルロース系素材、不織布もしくはプラスチックフィルム製袋に収納してなる形態を好適に採用することができる。
なお、本発明で用いる防虫材は、放香器に取りはずし可能に装填されることを特徴とするので、必要に応じ取り付け具を備えるのが好ましい。
【００１２】
プラスチック保持体の材質としては、ポリエチレンテレフタレート（ＰＥＴ）、ポリブチレンテレフタレート（ＰＢＴ）などのポリエステル、ポリアミド（ＰＡ）、ポリアセタール、ポリカーボネート、メチルペンテンポリマーなどがあげられるがこれらに限定されない。なかでも、再生ポリエステルを使用すれば、資源節約の観点からも有用であり、これに炭酸カルシウム、炭酸マグネシウム、酸化チタンなどの無機物を配合することによって、焼却カロリーの低減化を図ることもできる。
通気性のセルロース系素材、不織布もしくはプラスチックフィルム製袋も一般に入手できるものを任意に使用できるが、常温揮散性防虫成分の担体からの揮散を抑えすぎないように留意する必要がある。また、防虫材に使用の終点を示すインジケーター機能(例えば変色機能)を付与すれば一層便利である。
【００１３】
本発明は、前記防虫材を放香器に取りはずし可能に装填したことに特徴を有する。すなわち、通常の放香機能を保持した上で、所望の時期だけ虫よけ作用を付与し、しかもインテリア性をも備えるように配慮したものである。
本発明で用いられる放香器は、ボトルに充填した芳香液を吸液芯で吸い上げ蒸散させるタイプ、芳香ゲル収納容器と蒸散孔を有するキャップから構成されるタイプ、陶器製品等に含浸させた芳香成分を徐々に放散させるタイプなど、一般に入手できる種々の形態を採用できる。
芳香成分としては、例えばオレンジ油、レモン油、ライム油、ユズ油、ラベンダー油、ペパーミント油、ユーカリ油、ジャスミン油、檜油、緑茶精油等の天然香料や、リナロール、シトロネロール、ゲラニオール、フェニルエチルアルコール、アミルシンナミックアルデヒド、クミンアルデヒド、ベンジルアセテート、リモネン、α−ピネン、δ−ドデカラクトン等の合成香料があげられ、これらは通常の方法に従って芳香液や芳香ゲル等に調製される。
【００１４】
防虫材の放香器への装填方法も何ら限定されず、インテリア性を損なわない限り、載置、吊り下げ、挿設、挟持など任意の手段を採用しうる。例えば、芳香ゲル収納容器に被せられるキャップの中に防虫材を載置したり、芳香成分を含む陶器製品に防虫材を吊り下げるような形態であってよい。また、放香器が造花やフィギャー等の装飾部品を備える場合は、その装飾部品に挿設するようにしたり、防虫材を造花やフィギャー等の一部として取替え、もしくは付加するようにしても構わない。
なお、防虫材が装填される近傍に、電池やゼンマイ等で駆動するファンを備え、防虫成分の揮散を高めることは有用である。本発明では、極弱い風力を与えるだけで十分なので、ゼンマイ等による物理的手段がより適している。
【００１５】
本発明では、常温揮散性防虫成分の１日あたりの揮散量を０．２〜１０ｍｇ／日に設計するのが好ましい。０．２ｍｇ／日未満であると虫よけ効果が不足する傾向があり、一方１０ｍｇ／日を超えても格段の効力増強を望めず経済的に不利となる。
【００１６】
本発明の放香防虫製品の好ましい形態は、放香器が造花を備え、よりインテリア性が具備されたものである。そして、防虫材を造花の集合体が形成する間隙や花弁内等に装填するようにすれば、防虫材の装着を造花で被って造花のインテリア性を保持できるとともに、薬剤含浸担体に皮膚等が触れる危惧を極力排除できるというメリットを有する。
造花は、布又はプラスチック製で、アジサイ、スズラン、バラ、除虫菊など、各種の花を模して作製される。プラスチックの材質としては、薬剤非吸着性のポリエスル（ＰＥＴ、ＰＢＴなど）、ポリアミド、ポリアセタール等が好ましいが、造花の集合体が形成する間隙が比較的大きい場合などはＰＥやＰＰでも構わない。
また、造花の見かけの体積は１００〜１０００ｃｍ3程度がよく、ここで、見かけの体積とは、以下の測定方法に従って得られる値を意味する。
１）先ず造花部分をプラスチック製の袋に入れる。
２）上記袋を外部より軽く押さえて内部の空気を抜きながら、造花の外周に相当する部分を袋外部よりヒートシールして袋を密封する。
３）次に、水の張った大きめの腰高シャーレに上記２）で得られた造花入りの袋を沈め、その際の体積の増加分を「造花の見かけの体積」とする。
更に、造花の枝の材質として屈曲性の高いものを用い、造花の位置関係を任意に変えられる形態を採用することも有用である。
【００１７】
こうして得られた本発明の放香防虫製品は、有用な常温揮散性防虫成分を含む防虫材を放香器に装填することによって、通常の放香機能を保持した上で、所望の時期だけ実用的な虫よけ作用を付与することが可能となり、しかもインテリア性をも備えるので、その実用性は極めて高い。
【００１８】
次に、具体的実施例ならびに試験例に基づいて、本発明の放香防虫製品を更に詳細に説明する。
【実施例１】
【００１９】
図１は本発明の放香防虫製品１の一実施例の斜視図を示す。
粒径３ｍｍで緑色に着色したビスコパール０．８ｇに、４−メチル−２，３，５，６−テトラフルオロベンジル−２，２−ジメチル−３−（１−プロペニル）シクロプロパンカルボキシレート（化合物Ｅ）１００ｍｇとパラフィン系溶剤２０ｍｇからなる薬液を均一に含浸させ、この薬剤含浸担体２を金属製ネット保持体３に収納して防虫材（葉を模した形状）４を調製した。放香器５に備えられた造花（スズランを模して作製）６の茎部に、前記防虫材４を装填して、本発明の放香防虫製品１を得た。なお、放香器５は、ジャスミン系芳香液を充填し吸液芯７を具備した薬液ボトル８の上部に造花支持台９が配設されたものである。
こうして得られた放香防虫製品１をリビングのサイドボードの上に置いて夏季使用したところ、常温揮散性防虫成分の１日あたりの揮散量は１．４ｍｇ／日で、およそ２ケ月間にわたり、蚊の刺咬被害を受けることなく芳香感を満喫できた。また、防虫材４は造花本来の葉とほとんど区別がつかず、造花のインテリア性を損なうこともなかった。１０月以降は防虫材４を取りはずし、放香機能のみ奏する製品として使用を継続した。
【実施例２】
【００２０】
図２は本発明の放香防虫製品１の他の実施例の断面図を示す。
大きさが２×３ｃｍの波状段ボールを高さ３ｃｍに積層して形成したセルロース製ハニカム構造体１０に、４−メトキシメチル−２，３，５，６−テトラフルオロベンジル−２，２−ジメチル−３−（１−プロペニル）シクロプロパンカルボキシレート（化合物Ｈ）２００ｍｇとパラフィン系溶剤５０ｍｇからなる薬液を含浸させ、これを防虫材４として供した。ラベンダー系芳香ゲル収納容器１１の上方に設けた通気性シート１２の上に防虫材４（１０）を載置し、蒸散孔１３とゼンマイ［図示せず］で駆動するファン１４を有するキャップ１５を被せて本発明の放香防虫製品１を得た。
こうして得られた放香防虫製品１を、夏の間玄関の棚に置いて使用した。朝、ゼンマイを手動させて外出したところ、日中ファンが作動して防虫成分と香料が効率的に拡散し、夕方の帰宅時に玄関から蚊が侵入するのを完全に抑止できるとともに、芳香感を楽しめた。常温揮散性防虫成分の１日あたりの揮散量は３．０ｍｇ／日で、この１日毎のサイクルを２ケ月間継続できた。その後、防虫材４（１０）を取りはずし、冬季は放香機能のみ奏する製品として使用した。
【実施例３】
【００２１】
実施例１及び実施例２に準じて、表１に示す種々の放香防虫製品を作製した。６畳の部屋で下記の実地忌避効力試験を行い、蚊に対する吸血阻止効果を調べたところ表１の如くであった。
【００２２】
［実地忌避効力試験方法］
密閉した６畳の部屋の中央床面に金網で固定したマウスと供試放香防虫製品を設置し、アカイエカ雌成虫５０匹を放ち、２時間後供試虫を回収して吸血虫数を数え、吸血率を求めた（供試放香防虫製品区）。同時に同じ広さの部屋で薬剤を設置せずに同様の試験を行い（コントロール区）、その吸血率から次式により吸血阻止率を求めた。
2005126393.tif 000006
【００２３】
【表１】
2005126393.tif 000007
【００２４】
試験の結果、本発明の放香防虫製品は、特定の常温揮散性防虫成分を含む防虫材を放香器に装填することによって、実用的な吸血阻止効果、即ち虫よけ効果を奏し得ることが確認された。なお、本発明で用いる常温揮散性防虫成分のうち、エムペントリンや化合物Ｃ（トランスフルトリン）に比べて、一般式(II)に該当する防虫成分の方がより有用で、薬剤含浸担体の表面積を放香防虫製品当たり１００ｃｍ2以下にコンパクト化できることも認められた。かかる本発明の放香防虫製品は、防虫材が取りはずし可能に放香器に装填されているので、通常の放香機能を保持した上で、所望の時期だけ実用的な虫よけ作用を付与することが可能である。
これに対し、比較例１のように、蒸気圧の比較的低いｄ，ｄ−Ｔ８０−プラレトリンを用いた場合、蚊に対する吸血阻止効果が低かった。特開２０００−２４７８０７号公報の開示技術に基づく比較例２では、放香機能と虫よけ作用を分けることができず、また、広い面積のシート状含浸担体を要するため、この薬剤含浸担体を用いて造花を形成した結果は、インテリア性が劣るばかりか、薬剤含浸担体に皮膚等が触れやすいという安全性上の危惧が免れ得なかった。更に、特開２００３−１８９７７７号公報が開示する比較例３の方法では、エアゾールの種類を替えて所望の時期だけ虫よけ作用を付与することはできるが、エアゾールを多種類準備する必要がある上、比較例２と同様に安全性上の問題が避けられず本発明の目的に合致しなかった。
【産業上の利用可能性】
【００２５】
本発明の放香防虫製品は、常温揮散性防虫成分の有効利用に役立ち、しかも実用性にすぐれるので、産業上の有用性が高い。
【図面の簡単な説明】
【００２６】
【図１】本発明の放香防虫製品の一実施例の斜視図を示す。
【図２】本発明の放香防虫製品の他の実施例の断面図を示す。
【符号の説明】
【００２７】
１．放香防虫製品
２．薬剤含浸担体
３．金属製ネット保持体
４．防虫材
５．放香器
６．造花 
７．吸液芯 
８．薬液ボトル
９．造花支持台
10．ハニカム構造体
11．芳香ゲル収納容器
12．通気性シート
13．蒸散孔
14．ファン
15．キャップ
【図１】
2005126393.tif 000009
【図２】
2005126393.tif 000010